(57)【要約】【目的】  弾性ロープと外部部材とを簡単に接続でき、且つ弾性ロープ面を傷付けることなく接続できる、弾性ロープと外部部材との接続方法を提供する。【解決手段】  弾性ロープ１に、膨出部１ａを設けると共に膨出部１ａに通孔１ｂを穿設し、一対の２つ割ケース体の一方の半ケース（外部部材）２に、上記通孔１ｂに挿通可能な突出部２ａを設けて、弾性ロープ１の通孔１ａを外部部材２の突出部２ａに嵌着し、この半ケース２に他方の半ケース（冠体）３を組み合わせると共に、固定用ねじ４で半ケース２と半ケース３を固定する。【選択図】  図２
2013215131.tif 000002
【特許請求の範囲】
【請求項１】
弾性ロープと外部部材とを接続する方法であって、弾性ロープに、膨出部を設けると共に同膨出部に通孔を穿設し、外部部材に、上記通孔に挿通可能な突出部を設けて、弾性ロープの通孔を外部部材の突出部に嵌着し、該嵌着を、嵌着維持手段によって維持することを特徴とする弾性ロープと外部部材との接続方法。
【請求項２】
上記嵌着が、弾性ロープの少なくとも膨出部に冠着可能に構成した冠体を外部部材に取り付けることによって維持され、また、維持状態において、該冠体の一部と外部部材の突出部端部とが係合してなることを特徴とする請求項１に記載の弾性ロープと外部部材との接続方法。
【請求項３】
上記冠体および同冠体が取り付けられる外部部材に、弾性ロープの膨出部の延伸を抑制する隔壁を設けてなることを特徴とする請求項２に記載の弾性ロープと外部部材との接続方法。
【請求項４】
上記外部部材および冠体が、一対の２つ割ケース体として形成されてなることを特徴とする請求項２または請求項３に記載の弾性ロープと外部部材との接続方法。
【発明の詳細な説明】
【技術分野】
【０００１】
本発明は、天然素材や合成素材などからなる弾性ロープを外部部材に接続する場合に好適な接続方法に関する。
【背景技術】
【０００２】
従来、天然ゴムや合成ゴム素材などからなる弾性ロープを外部部材に接続する場合には、例えば、上記弾性ロープを利用してなる釣り具のクッション具（特許文献１、２参照）に見られる接続方法がある。
【０００３】
特許文献１に開示されているものは、弾性ロープたる伸縮自在のウレタンゴム材の端部を外部部材たる合成樹脂成形体にインサートすることで、該弾性ロープと合成樹脂成形体とを接続している。
【０００４】
特許文献２に開示されているものは、外部部材たるサルカンのリング内に通した弾性ロープたるポリウレタンエラストマー材の端部を折り返して本体に熱融着することで、該弾性ロープとサルカンとを接続している。
【０００５】
また、弾性ロープの周面を外部部材の構成部材たる押圧体で押圧することによって該弾性ロープと外部部材とを接続する接続方法もあるが、該方法は、上記接続方法に比して簡単に弾性ロープと外部部材とを接続できる反面、弾性ロープ面に傷が生じた場合に同傷部から裂け破断する恐れがあった。
【先行技術文献】
【特許文献】
【０００６】
【特許文献１】特開２００２−８４９４４号公報
【特許文献２】登録実用新案第３１５８２０５号公報
【発明の概要】
【発明が解決しようとする課題】
【０００７】
本発明の目的とするところは、弾性ロープと外部部材とを簡単に接続でき、且つ弾性ロープ面を傷付けることなく接続できる、弾性ロープと外部部材との接続方法を提供することにある。
【課題を解決するための手段】
【０００８】
上述した課題を解決するために、本発明に係る弾性ロープと外部部材との接続方法の要旨とするところは、弾性ロープに、膨出部を設けると共に同膨出部に通孔を穿設し、外部部材に、上記通孔に挿通可能な突出部を設けて、弾性ロープの通孔を外部部材の突出部に嵌着し、該嵌着を、嵌着維持手段によって維持するものである。
【０００９】
弾性ロープとは、外力によって伸びまた外力を除くともとに戻る性質を有する物質から形成されているロープであり、例えば、天然素材や合成素材などからなる天然ゴムや合成ゴム（エラストマー／シリコーンなど）素材からなり、再生ゴムからなるものも含まれる。
【００１０】
該弾性ロープの形態は、単線ロープや、単線ロープを複数束ね、例えば、適当な本数を並べて構成したものや適当な本数を撚り合わせて形成したもの（撚り線）などの複線ロープである。
【００１１】
そして、単線ロープに膨出部を設ける場合の一例としては、ロープを成形する時に、膨出部さらには通孔を同時に成形するようにしてもよく、また、複線ロープに膨出部を設ける場合の一例としては、膨出形成位置の複数のロープを溶着などによって一体にし、同部位を成型や盛り付けなどによって膨出成形さらには通孔を同時に成形するようにしてもよい。
【００１２】
また、弾性ロープの形態例としては、内部を中空とするチューブも弾性ロープに含まれ、そしてこのチューブの形態例としては、単線チューブ（単線チューブロープ）、単線チューブを複数束ねて、例えば、適当な本数を並べて構成したものや適当な本数を撚り合わせて形成したもの（撚り線）などの複線チューブ（複線チューブロープ）である。
【００１３】
そして、上記単線チューブや複線チューブに膨出部を設ける場合も、上述する単線ロープや複線ロープに設ける場合と同じようにすればよい。
【００１４】
上記膨出部は、好ましくは略球状に設けるのがよいが、弾性ロープの形成素材や弾性ロープに掛かる張力の強さなどにより、該弾性ロープが断面略円形のものであれば、同略直径方向における弾性ロープの長手方向に略直交する両側を膨出させる形態にしてもよい。
【００１５】
外部部材とは、上記弾性ロープと接続する該弾性ロープの膨出部に設けられた通孔を嵌める突出部が設けられてなるもので、そして、該突出部に通孔を嵌めて接続された弾性ロープが該嵌着状態を維持できるように構成してなるもので、形態は任意である。
【００１６】
また、外部部材に設ける突出部は、弾性ロープ膨出部の通孔を嵌着可能な形態であればよく、例えば、円柱状にすればよい。
さらに、突出部の径と弾性ロープ膨出部の通孔径は略同じにして、弾性ロープが安定した嵌着状態になるようにするのがよい。
【００１７】
そして、上記弾性ロープの該嵌着を維持するための一例としては、弾性ロープの膨出部や同膨出部に隣接する弾性ロープに冠着可能に構成した冠体を、外部部材に固定用ねじなどの固定手段によって取り付け、弾性ロープ膨出部の通孔が外部部材の突出部から外れないようにすればよい。
なお、該冠体には少なくとも外部部材の突出部に係合する係合部（例えば、突出部の端部に嵌る嵌着部分）を設けて、弾性ロープ膨出部の通孔が外部部材の突出部から確実に外れないようにするのが望ましい。
【００１８】
そして、上記冠体および同冠体が取り付けられる外部部材に、弾性ロープの膨出部の延伸を抑制する隔壁を設けて、該弾性ロープが伸長した際に、同伸長により延伸する膨出部の伸びを抑制し、弾性ロープの膨出部に形成された通孔の縁に掛かる負荷を低減させるようにするのが望ましい。
【００１９】
また、上記隔壁の膨出部側を、同膨出部の少なくとも延伸側の初期位置の外形に合わせた形状にして、膨出部を安定よく支持できるようにしてもよい。
【００２０】
なお、上記外部部材および冠体は、一対の２つ割ケース体として形成する場合もある。この場合、半ケースとなる外部部材および冠体の形状は特に限定するものではない。
【発明の効果】
【００２１】
本発明の弾性ロープと外部部材との接続方法によれば、弾性ロープ面に外圧が掛かることがないので該弾性ロープ面に傷が生じることがなく、従って、傷部から弾性ロープが裂けて破断する恐れもなく安定した接続が可能となる。
【図面の簡単な説明】
【００２２】
【図１】本発明に係る弾性ロープと外部部材を示す斜視図。
【図２】本発明に係る弾性ロープと外部部材および冠体との接続を示す斜視図。
【図３】他の形態の弾性ロープの他の一例を示す斜視図。
【図４】他の形態の弾性ロープと外部部材との接続を示す斜視図。
【図５】他の形態の弾性ロープと外部部材との接続を示す斜視図。
【発明を実施するための形態】
【００２３】
以下、本発明に係る弾性ロープと外部部材との接続方法を、添付図面に示す具体例に基づいて詳細に説明する。
【００２４】
本実施例で示している弾性ロープは、柔軟性を大にする例えばシリコーンゴムからなり、また外部部材については、２つ割りのケースの一方の半ケース２とした場合であり、これらを一例にして説明する。
【００２５】
図１中の（ａ）に示すように、弾性ロープ１は、膨出部１ａを設けると共に、同膨出部１ａのほぼ中心を通過する通孔１ｂを穿設している。
本図１中の（ａ）に示したものは、膨出部１ａを、弾性ロープ１の自由端部に形成しているものである。
【００２６】
また、弾性ロープ１は、図３に示すように、膨出部１ａの自由端部側に延伸部１ｃを形成する場合がある。
【００２７】
図１中の（ｂ）に示すように、２つ割りのケースの一方の半ケース２（外部部材）には、弾性ロープ１の膨出部１ａに形成した通孔１ｂに挿通可能な突出部２ａを設けていて、また、他方の半ケース３（冠体）には、半ケース２の突出部２ａの端部（端部近傍も含まれる）に嵌合する嵌合部３ａを設けている。
【００２８】
そして、半ケース２および半ケース３に、弾性ロープ１が伸長した際に同伸長により延伸する膨出部１ａの伸長を抑制するための隔壁２ｂ、３ｂを設けている。
【００２９】
また、図１中の（ｂ）中の符号２ｃ、２ｄ、３ｃ、３ｄは、半ケース２と半ケース３を固定するための固定用ねじ４のねじ孔である。
【００３０】
上記固定用ねじ４は、相手部材に自らねじ立てをしながら進入するタッピングネジを用いたり、ナットと組んで用いる一般的なボルトを用いる場合がある。
【００３１】
以下、上述した弾性ロープ１と、半ケース（外部部材）２および半ケース（冠体）３とを接続する場合を図１、図２によって説明する。
【００３２】
先ず、図１中の（ａ）に示した弾性ロープ１の膨出部１ａに形成した通孔１ｂを、図１中の（ｂ）に示した半ケース２の突出部２ａに嵌めて、図２中の（ａ）に示した状態にセットする。
【００３３】
次いで、図１中の（ｂ）に示した半ケース３を、図２中の（ａ）に示した半ケース２に組み付けるために、固定用ねじ４を、半ケース３のねじ孔３ｃ、３ｄに通し、半ケース２のねじ孔２ｃ、２ｄに螺入させていく（タッピングネジの場合）。
【００３４】
これにより、図２中の（ｃ）に示すように、弾性ロープ１が半ケース２の突出部２ａに確実に嵌着されて、弾性ロープ１と、半ケース（外部部材）２および半ケース（冠体）３とが接続される。
【００３５】
図４、図５に、他の形態の弾性ロープと外部部材との接続を示していて、図４に示すものは、図３に示した弾性ロープの延伸部１ｃに、同ロープのほぼ中心を通過する第２通孔１ｄを設けると共に、該第２通孔１ｄに対応するよう外部部材たる半ケース２に第２突出部２ｅを設けているものである。図５に示すものは、上記延伸部１ｃを膨出させたものである。
【００３６】
また、前述と同じように、上記第２突出部２ｅに嵌合させる嵌合部（図示は省略）を半ケース３に設けるのが望ましい。
【００３７】
実施例における図２中の（ｃ）中の符号５は、半ケース（外部部材）２および半ケース（冠体）３をフックなどに係着するためのリングである。
【符号の説明】
【００３８】
１…弾性ロープ
１ａ…膨出部
１ｂ…通孔
１ｃ…延伸部
１ｄ…第２通孔
２…半ケース（外部部材）
２ａ…突出部
２ｂ…隔壁
２ｃ…ねじ孔
２ｄ…ねじ孔
２ｅ…第２突出部
３…半ケース（冠体）
３ａ…嵌合部
３ｂ…隔壁
３ｃ…ねじ孔
３ｄ…ねじ孔
４…固定用ねじ
５…リング
【図１】
2013215131.tif 000003
【図２】
2013215131.tif 000004
【図３】
2013215131.tif 000005
【図４】
2013215131.tif 000006
【図５】
2013215131.tif 000007